(57)【要約】【課題】建物開口部に固定的に設置されるようなスクリーンに、遮光、日除け等のブラインド機能をも併せて持たせ、スラットの傾動操作が簡単で、単純で軽微な操作を行えるスクリーン装置を提供する。【解決手段】ネット状の透光性を有する第１のスクリーン１１と、それに対面させて配置する第２のスクリーン１２と、それらの間を上下に間隔を置いて連結する可撓性の多数のスラット１３とによって構成されたスクリーンユニット２０を備える。上記第１のスクリーンをスクリーン枠１５に取り付け、第２のスクリーンの下端を操作枠１９に、上端を操作枠と連動用部材２１により連動して昇降する連動枠１８の上枠に取り付ける。連動枠の昇降はスクリーン枠にガイドさせ、連動枠の昇降位置をスクリーン枠との間に設けた係脱部材２８により調整して固定可能にする。【選択図】図１
2018066147.tif 000002
【特許請求の範囲】
【請求項１】
防虫及び通風を確保するためのネット状の透光性を有する第１のスクリーンと、
通気性及び透光性を有し、上記第１のスクリーンに対し対面させて配置される第２のスクリーンと、
上記第１のスクリーンと第２のスクリーンとの間を上下に間隔を置いて相互に連結するように、該両スクリーンに対しそれぞれの端部が起倒自在に連結されたところの、可撓性を有するシートからなる調光或いは遮光用の多数のスラットであって、上記第１のスクリーンと第２のスクリーンとを、それらの間に両端部を連結した各スラットと共に平面状をなすように重ね合わせたときに、上記連結した各スラットの隣接部分が相互に重ね合わされ、且つ全体として多数のスラットが第１のスクリーンを覆い尽くす状態に配設されるように形成された上記スラットと、
によって構成されたスクリーンユニットを備え、
上記スクリーンユニットにおける第１のスクリーンの周辺が、建物開口部に設置されるスクリーン枠に固定的に取り付けられ、
上記スクリーンユニットにおける第２のスクリーンは、その下端を該第２のスクリーンを昇降させるための操作枠に取り付けると共に、該第２のスクリーンの上端は、上記操作枠と連動用部材により連動して昇降するように上枠を連結してなる連動枠における該上枠に取り付け、
上記連動枠の昇降を、上記スクリーン枠にガイドさせると共に、該連動枠の操作枠による昇降位置をスクリーン枠との間に設けた係脱部材により調整して固定可能にしている、
ことを特徴とするブラインド機能付きスクリーン装置。
【請求項２】
上記連動枠が、上記第２のスクリーンの下端が連結された操作枠と該第２のスクリーンの上端が連結された上枠とを相互に連結する連結枠材を上記連動用部材として構成されている、
ことを特徴とする請求項１に記載のブラインド機能付きスクリーン装置。
【請求項３】
上記スクリーンユニットにおける第２のスクリーンの上端の上枠が、上記スクリーン枠の上部に支持されて上向きにバネ付勢され、上記連動枠が、第２のスクリーン自体を連動用部材として上記上枠と操作枠とを連結することにより構成されている、
ことを特徴とする請求項１に記載のブラインド機能付きスクリーン装置。
【請求項４】
上記上枠が、上記スクリーン枠の上部に一端が支持されて先端に第２のスクリーンを取り付けた回転枠によって構成されて、該回転枠がその先端の第２のスクリーンを上動させる方向に回転するようにバネ付勢され、第２のスクリーン自体を連動用部材として上記回転枠と操作枠が連結されている、
ことを特徴とする請求項３に記載のブラインド機能付きスクリーン装置。
【請求項５】
上記スクリーン枠と操作枠との間に設けられて、上記操作枠の昇降位置を調整して固定可能に支持させる係脱部材を、上記スクリーン枠と操作枠との間の近接面の一方において上下方向に並設した多数の係止突条と、上記近接面の他方に設けられてそれらの係止突条のいずれかに係止する係止突子とにより形成した、
ことを特徴とする請求項１〜４のいずれかに記載のブラインド機能付きスクリーン装置。
【発明の詳細な説明】
【技術分野】
【０００１】
本発明は、建物開口部における防虫や通風を確保するためのスクリーンが、必ずしも不使用時に収納の必要がないものとしてほぼ固定的に設置される場合に、その建物開口部についての遮光、日除け、目隠し等をも併せて行うのに適したブラインド機能付きスクリーン装置に関するものである。
【背景技術】
【０００２】
建物開口部における防虫や通風を確保するために、そこに防虫や通風を確保するためのネット状のスクリーンを設置することは、極めて一般的に行われていることである。その場合に、当該建物開口部を通して人や物の出入りが殆どない状態であれば、上記スクリーンはその建物開口部を開閉する扉の開閉の障害にならない範囲内で、固定的なものであっても差し支えないものである。
【０００３】
ところで、このような建物開口部において、遮光、日除け、目隠し等が要求される場合には、スラットの多数を上下に一定間隔で傾動自在に保持させて、それらのスラットの傾斜角度を調整可能とした既知のブラインド装置を、上記スクリーンに沿って設置すればよいが、そのスラットがアルミ材等の硬質材である場合には、通常はそれが室内側に設けられるので、室内の居住者に接触したり歩行者の妨げになる機会が多くなって不快感を感じることがあり、また、傾動するスラットがスクリーンと接触して接触音を発するだけでなく、スクリーンを損耗させることにもなり、だからと言って、そのブラインド装置をスクリーンの外側に設置するのはスペース的に困難であるばかりでなく、スラットの傾動操作を容易にすることにも困難性がある。
【０００４】
一方、建物開口部に設置する網戸とブラインドの機能を併設したブラインド機能付き網戸は、既に、特許文献１等において開示されている。しかしながら、当該特許文献に開示のものでは、スクリーン全体をスラットと共に巻取軸で巻き取り可能にすることを前提として、スクリーンの開閉操作具の操作によりスラットの開閉操作をも可能にしたものである。そのため、スクリーンの開閉操作具により防虫機能を維持しながらスラットを開閉操作をも行うことになり、その開閉操作の機構が比較的複雑にならざるを得ず、しかも、その機構が本来不必要なものであるだけでなく、スクリーンの張設の後の更なる上記開閉操作具の操作によってスラットの開放を行うことになるため、ブラインドの開閉操作が簡便、軽快といえるものではない。
【先行技術文献】
【特許文献】
【０００５】
【特許文献１】国際公開ＷＯ２０１４／１１５６８４号
【発明の概要】
【発明が解決しようとする課題】
【０００６】
本発明の技術的課題は、建物開口部における防虫や通風を確保するためのスクリーンが必ずしも収納の必要がないものとして、ほぼ固定的に設置されるときに、その建物開口部についての遮光、日除け、目隠し等のブラインド機能をも併せて持たせる場合に適し、特に、防虫網戸の張設・収納機構を省略できることから、上記ブラインドを構成するスラットの傾動操作を簡単な構造で実現可能とし、しかも、単純で軽微な操作によって行えるようにしたブラインド機能付きスクリーン装置を提供することにある。
【課題を解決するための手段】
【０００７】
上記課題を解決するため、本発明によれば、防虫及び通風を確保するためのネット状の透光性を有する第１のスクリーンと、通気性及び透光性を有し、上記第１のスクリーンに対し対面させて配置される第２のスクリーンと、上記第１のスクリーンと第２のスクリーンとの間を上下に間隔を置いて相互に連結するように、該両スクリーンに対しそれぞれの端部が起倒自在に連結されたところの、可撓性を有するシートからなる調光或いは遮光用の多数のスラットであって、上記第１のスクリーンと第２のスクリーンとを、それらの間に両端部を連結した各スラットと共に平面状をなすように重ね合わせたときに、上記連結した各スラットの隣接部分が相互に重ね合わされ、且つ全体として多数のスラットが第１のスクリーンを覆い尽くす状態に配設されるように形成された上記スラットとによって構成されたスクリーンユニットを備え、上記スクリーンユニットにおける第１のスクリーンの周辺が、建物開口部に設置されるスクリーン枠に固定的に取り付けられ、上記スクリーンユニットにおける第２のスクリーンは、その下端を該第２のスクリーンを昇降させるための操作枠に取り付けると共に、該第２のスクリーンの上端は、上記操作枠と連動用部材により連動して昇降するように上枠を連結してなる連動枠における該上枠に取り付け、上記連動枠の昇降を、上記スクリーン枠にガイドさせると共に、該連動枠の操作枠による昇降位置をスクリーン枠との間に設けた係脱部材により調整して固定可能にしていることを特徴とするブラインド機能付きスクリーン装置が提供される。
【０００８】
本発明に係る上記ブラインド機能付きスクリーン装置の好ましい実施形態においては、上記連動枠が、上記第２のスクリーンの下端が連結された操作枠と該第２のスクリーンの上端が連結された上枠とを相互に連結する連結枠材を上記連動用部材として構成される。
【０００９】
また、本発明に係る上記ブラインド機能付きスクリーン装置の他の好ましい実施形態においては、上記スクリーンユニットにおける第２のスクリーンの上端の上枠が、上記スクリーン枠の上部に支持されて上向きにバネ付勢され、上記連動枠が、第２のスクリーン自体を連動用部材として上記上枠と操作枠とを連結することにより構成される。
【００１０】
更に、本発明に係る上記ブラインド機能付きスクリーン装置の他の好ましい実施形態においては、上記上枠が、上記スクリーン枠の上部に一端が支持されて先端に第２のスクリーンを取り付けた回転枠によって構成されて、該回転枠がその先端の第２のスクリーンを上動させる方向に回転するようにバネ付勢され、第２のスクリーン自体を連動用部材として上記回転枠と操作枠が連結されたものとすることもできる。
【００１１】
また、本発明に係る上記ブラインド機能付きスクリーン装置の好ましい実施形態においては、上記スクリーン枠と操作枠との間に設けられて、上記操作枠の昇降位置を調整して固定可能に支持させる係脱部材を、上記スクリーン枠と操作枠との間の近接面の一方において上下方向に並設した多数の係止突条と、上記近接面の他方に設けられてそれらの係止突条のいずれかに係止する係止突子とにより形成することが望まれる。
【発明の効果】
【００１２】
以上に詳述した本発明のブラインド機能付きスクリーン装置は、建物開口部における防虫や通風を確保するためのスクリーンが必ずしも収納の必要がないものとして、ほぼ固定的に設置されるときに、その建物開口部についての遮光、日除け、目隠し等のブラインド機能をも併せて持たせる場合に適し、特に、防虫網戸の張設・収納機構を省略できることから、上記ブラインドを構成するスラットの傾動操作を簡単な構造のものとし、しかも、単純で軽微な操作によりスラットの傾動を行うことができる。
【図面の簡単な説明】
【００１３】
【図１】本発明に係るブラインド機能付きスクリーン装置の第１実施例におけるスラットの開放状態を示す斜視図である。
【図２】上記スクリーン装置におけるスラットの遮蔽状態を示す斜視図である。
【図３】上記第１実施例における第２スクリーンの上下端を保持する連動枠の斜視図である。
【図４】上記スクリーン装置におけるスラットの開放状態を示す側断面図である。
【図５】上記スクリーン装置におけるスラットの遮蔽状態を示す側断面図である。
【図６】上記スクリーン装置におけるスクリーン枠への第１のスクリーン及び第２のスクリーンの操作枠の取付状態を示す水平断面図である。
【図７】上記第１実施例のスクリーン枠と操作枠との間に設けられている係脱部材の構成例を示す断面図である。
【図８】本発明に係るブラインド機能付きスクリーン装置の第２実施例におけるスラットの開放状態を示す斜視図である。
【図９】同スクリーン装置におけるスラットの遮蔽状態を示す斜視図である。
【図１０】同スクリーン装置におけるスラットの開放状態を示す側断面図である。
【図１１】同スクリーン装置におけるスラットの遮蔽状態を示す側断面図である。
【図１２】上記第２実施例におけるスクリーン枠と操作枠のとの間の係脱部材の設置態様を示す水平断面図である。
【発明を実施するための形態】
【００１４】
図１〜図７は、本発明に係るブラインド機能付きスクリーン装置の第１実施例を示している。このブラインド機能付きスクリーン装置は、建物開口部における防虫や通風を確保するためのスクリーンを、必ずしも上部に巻取ったり横引きで収納したりする必要がないものとして、ほぼ固定的に設置しようとする場合などに、該建物開口部についての遮光、日除け、目隠し等の機能を持つブラインドの構成を併せて持たせようとする場合に適するものであり、そのため、防虫網戸の張設・収納機構を省略できることから、上記ブラインドを構成するスラットの傾動操作のための機構も非常に簡単であり、しかも単純で軽微な操作によって開閉を行えるように構成したものである。
【００１５】
まず、図１〜図５を参照して、防虫及び通風を確保するためのネット状の第１のスクリーン１１と、それと一体化してブラインド機構を構成させる第２のスクリーン１２及び多数のスラット１３とからなるスクリーンユニット１０の構成について説明する。
上記スクリーンユニット１０は、ネット状の透光性を有する上記第１のスクリーン１１と、通気性及び透光性を有し、上記第１のスクリーン１１に対し対面させて配置することにより、多数のスラット１３の傾動操作のために用いる第２のスクリーン１２と、上記第１のスクリーン１１と第２のスクリーン１２との間を上下に間隔を置いて相互に連結するように、該両スクリーン１１，１２に対しそれぞれの端部が起倒自在に連結されたところの多数の上記スラット１３により構成し、上記第１のスクリーン１１が屋外側に配され、第２のスクリーン１２が屋内側になるように建物開口部に設置されるものである。
【００１６】
スクリーンユニット１０の構成について更に具体的に説明すると、上記スラット１３は調光或いは遮光用として透過光量を制限するようにした可撓性を有するシート状部材からなり、上述したように、その両端を第１のスクリーン１１と第２のスクリーン１２との間に間隔を置いて相互に接着、溶着、縫着又は編み込み等により固定している。
【００１７】
また、上記スクリーンユニット１０においては、原則として、上記第１のスクリーン１１と第２のスクリーン１２とを、それらの間に両端部を連結した各スラット１３と共に平面状をなすように拡げて重ね合わせたときに、両スクリーン１１，１２の間に連結した上記各スラット１３の隣接部分が相互に重ね合わされ、且つ全体として少なくとも多数のスラット１３が第１のスクリーン１１を覆い尽くす状態に配設されるように形成され、それによって、スラット１３による建物開口部の遮蔽が得られるものであるが、上記各スラット１３の隣接部分の重ね合わせ長さは、スラット１３の傾動により該スラット間を開放したときに望まれる採光量に応じて適宜選択することができるものである。
【００１８】
上記スクリーンユニット１０における防虫及び通風を確保するための第１のスクリーン１１には、図４〜図７に示しているように、その左右及び上下端の各辺に、スクリーン枠１５に保持させるための多数の係合子１１ａを取り付けている。該第１のスクリーン１１の左右辺に設けた係合子１１ａは、図６に示すように、スクリーン枠１５の側枠１５ａの内側に設けたレール１６のスリットに係合させてスクリーン１１を保持させるものであり、また、第１のスクリーン１１の上下辺に設けた係合子１１ａは、図４、図５及び図７に示すように、スクリーン枠１５の上下横枠１５ｂ，１５ｃの内側に設けた取付溝に取付部材１７を介して該スクリーン１１を保持させるためのものであり、これらによって、建物開口部枠に固定的に取り付けられるスクリーン枠１５に上記第１のスクリーン１１が張設される。
【００１９】
なお、上記取付部材１７は、図７に明瞭に示すように、合成樹脂により弾性的な開放傾向をもたせた断面略Ｕ字状の部材として形成し、その内部に、上記スクリーン１１の係合子１１ａを係合させるスリット１７ａを設け、その口縁の一方に上記取付溝内の凹部に係止する外向きの係合鉤１７ｂを係脱可能に設けたものである。また、上記第１のスクリーン１１の周辺に取り付けた多数の係合子１１ａとしては、例えば、被服類において多用されているスライドファスナーの相互に接合される半体、或いはそれに相当するような部材を用いることができる。
【００２０】
一方、上記スクリーンユニット１０における第２のスクリーン１２は、それ自体を上記スラット１３の傾動のために張設状態で昇降させる必要があることから、該第２のスクリーン１２を上記スクリーン枠１５に対面させて昇降可能に保持させる枠として、手動で昇降させる下部の操作枠１９と、上記スクリーン枠１５の上部にガイド叉は保持されて該操作枠１９の昇降動作に連動して昇降する上枠２０とを備えていて、その操作枠１９と上枠２０との両者を、以下に詳細に説明するような連動用部材２１で連結することにより、図３に例示するような連動枠１８を形成させている。そして、上記第２のスクリーン１２の下端を上記操作枠１９に取り付けると共に、該スクリーン１２の上端を該操作枠１９と連動して昇降する上枠２０に取り付けて、それらを手動で昇降可能に形成している。
【００２１】
図３に示す第１実施例の連動枠１８の構成を更に具体的に説明すると、この第１実施例では、上記連動枠１８における上述の連動用部材２１として、下部の操作枠１９と上部の上枠２０の各両端間を機械的に連結する連結枠材２１ａを用い、それによって上記操作枠１９と上枠２０とを連動させているが、上記操作枠１９と上枠２０との連結は、後述する第２実施例のように、必ずしも機械的な連結である必要はなく、そのため、本発明についての説明においては、上記連結枠材２１ａのような機械的な連結を行わないものを含めて、上記操作枠１９と上枠２０との昇降を一定の間隔で保持して連動するように連結する部材を連動用部材２１と総称し、その連動用部材２１により操作枠１９と上枠２０とを連動して昇降するようにしたものを連動枠１８と呼んでいる。
【００２２】
上記連動枠１８に対する第２のスクリーン１２の上下端の取り付けは、図４、図５及び図７等に示すように、第２のスクリーン１２の上端を上記連動枠１８の上枠２０に取り付けると共に、該スクリーン１２の下端を該連動枠１８の下部の操作枠１９に取り付けているが、図示しているそれらの連動枠１８に対する取付構造は、前記第１のスクリーン１１の上下端のスクリーン枠１５に対する取付構造と変わるところがないので、それらの説明を援用してここでは説明を省略する。なお、上記第２のスクリーン１２を支持する上記連動枠１８は、下部の操作枠１９と上部の上枠２０の左右両端部を連結枠材２１ａによって相互に連結してはいるが、特に第２のスクリーン１２の側端を該連結枠材２１ａに連結しておく必要もないので、第２のスクリーン１２の両側端はフリーの状態にあるが、該第２のスクリーン１２の両側端を第１のスクリーン１１と同様な取付構造により上記連結枠材２１ａに保持させることもできる。
【００２３】
上記第２のスクリーン１２を支持する連動枠１８の下部に設ける操作枠１９は、その前面に該連動枠１８を手動で昇降させるための操作子１９ａを備え、また、該操作子１９ａの安定的な操作によって上記スラット１３を傾動させるために、スクリーン枠１５の上下部左右には、上記連動枠１８の操作枠１９及び上枠２０の昇降をガイドするためのガイド部２４ａ，２４ｂを設けて、それらにより上枠２０及び操作枠１９の両端に設けたエンドキャップ２５，２６の凸片２５ａ，２６ａ（図１及び図６参照）の昇降をガイドさせている。上記第２のスクリーン１２を張設した連動枠１８の昇降範囲は、第２のスクリーン１２によるスラット１３の傾動による開閉の範囲内であるため、上記ガイド部２４ａ，２４ｂはその範囲内のみに設置すればよい。
【００２４】
また、上記操作枠１９による第２のスクリーン１２の昇降でスラット１３を所望の開閉位置に保持可能にするため、図７に示すように、上記スクリーン枠１５と操作枠１９との間に、上記操作枠１９の昇降位置を調整して固定可能に支持させる係脱部材２８を設けている。該係脱部材２８は、上記スクリーン枠１５と操作枠１９との間の近接面の一方である操作枠１９において、上下方向に並設した多数の係止突条２８ａを設けると共に、上記スクリーン枠１５における下横枠１５ｃに、該係止突条２８ａのいずれかに係止して操作枠１９の下降を抑止する係止突子２８ｂを設けることによりにより形成したものである。
【００２５】
図７に示す上記係脱部材２８の構成例では、該係脱部材２８における操作枠１９のエンドキャップ２５に設けた多数の係止突条２８ａを、三角状の該突条２８ａの下面側を水平面状、上面側を下向きの斜面状にして、上下方向に並設されたものとし、スクリーン枠１５の下横枠１５ｃのエンドキャップ２６に設けた係止突子２８ｂは、上側を上記係止突条２８ａのいずれかに係止する水平面状のものとしているが、下横枠１５ｃ側の係止突子２８ｂにいずれかの係止突条２８ａが係止して、その位置に操作枠をが保持できるようなものであれば、図示の例と異なるものであっても差し支えない。
【００２６】
上記構成を有する係脱部材２８の操作は、連動枠１８における操作枠１９の操作子１９ａを図７の矢印Ａで示す方向に引いて、係止突条２８ａと係止突子２８ｂとの係止を解除した状態で、該操作子１９ａの矢印Ｂ方向の移動により操作枠１９を所望の位置に昇降させ、その位置で該操作枠１９をスクリーン枠１５側に押し付けることにより、係止突子２８ｂを所望の高さの係止突条２８ａに係止させればよく、それにより、スラット１３を所望の調整位置に保持させることができる。上記係止突条２８ａと係止突子２８ｂとの係止が不安定な場合には、操作枠１９や下横枠１５ｃの両端に設けたエンドキャップ２５，２６の凸片２５ａ，２６ａの昇降をガイドするガイド部２４ａ，２４ｂ内において、該凸片２５ａ，２６ａの双方又は一方を、上記係止突条２８ａと係止突子２８ｂとが接合される方向に押圧する弾性部材を設けるなどの手段を配慮すればよい。
【００２７】
なお、上記スクリーン装置は、前述したように、建物開口部に張設する第１のスクリーンを、必ずしも収納する必要がないものとして固定的に設置する場合などに、遮光、日除け、目隠し等の機能を持つブラインドの構成を併せて持たせようとする場合に適するものであるが、やむを得ず建物開口部を開く必要がある場合には、図６及び図７に示しているような第１のスクリーン１１の上下端に取り付けた係合子１１ａを保持している取付部材１７を、上下横枠１５ｂ，１５ｃから取り外し、また、第１のスクリーン１１の左右端に取り付けた係合子１１ａをレール１６に沿って上下方向に抜き出すことにより、該第１のスクリーン１１を第２のスクリーン１２と共にスクリーン枠１５から取り外すことができるものである。また、このような取り外しを可能にしておくことにより、第１のスクリーン１１及び第２のスクリーン１２の洗浄や交換を行うことも容易になる。
【００２８】
次に、図８〜図１２を参照して本発明に係るブラインド機能付きスクリーン装置の第２実施例について説明する。
この第２実施例の構成は、第１実施例と同じスクリーンユニット１０を用いることができるもので、第１実施例と同様に第２のスクリーン１２を保持する連動枠１８を昇降させることによりスラット１３の傾動を行う点で、基本的には第１実施例と変わるところがなく、特に、建物開口部における防虫や通風を確保するためのスクリーンを上部に巻取ったり横引きで収納したりする必要がないものとして、ほぼ固定的に設置しようとする場合などにおいて、該建物開口部についての遮光、日除け、目隠し等の機能を持つブラインドの構成を併せて持たせるのに適したものである。
【００２９】
そして、この第２実施例において第１実施例と相違する最大の特徴点は、上記第２のスクリーン１２の上下端を保持する連動枠１８、特に、その上枠２０自体の構成と、該上枠２０と操作枠１９とを連動させる連動用部材２１の構成にあり、以下においてはその第２実施例における上枠２０と連動用部材２１の構成及び作用について詳述するが、連動枠１８に関連する構成以外で第１実施例と共通するところについては、重複を避けるために、図面中の対応部分に第１実施例と同じ符号を付して、それらの説明を省略する。
【００３０】
図８〜図１１に明瞭に示すように、上記第２実施例のブラインド機能付きスクリーン装置においては、まず、スクリーンユニット１０における第２のスクリーン１２の上端を取り付ける第１実施例の上枠２０に対応する部材が、上記スクリーン枠１５の上部に一端が支持されて先端に第２のスクリーン１２を取り付けた回転枠２２によって構成され、該回転枠２２がその先端の第２のスクリーン１２を上動させる方向に回転するようにスプリング２２ａでバネ付勢されて支持され、上記連動枠１８が、第２のスクリーン１２自体を連動用部材２１として、上記回転枠２２と操作枠１９とを連結することにより構成されている。
【００３１】
一方、第２のスクリーン１２の操作枠１９が取り付けられた上記連動枠１８における下端部においては、第１実施例と同様に、該操作子１９ａを備えた操作枠１９の両端に設けたエンドキャップ２６の凸片２６ａの昇降を、スクリーン枠１５の下部左右に設けたガイド部２４ｂによりガイドさせている。これに対し、上記第２のスクリーン１２の上端は、それを上記回転枠２２の先端に取り付けて該回転枠２２の回転により昇降するようにしているので、第１実施例における第２のスクリーン１２のようにガイドする必要はなく、そのため、第２のスクリーン１２の上端についてはその移動をガイドするような機構を別設していない。
【００３２】
また、連動枠１８が、上記構成を備えた第２実施例のスクリーン装置においても、第１実施例と同様に、操作枠１９による連動枠１８の昇降位置を、スクリーン枠１５との間に設けた係脱部材２９（図１２参照）により調整して固定可能にする必要がある。但し、前記第１実施例では、連動枠１８に作用する力が重力のみであるため、係脱部材２８においては、その重力に抗して操作枠１９を上昇させて、操作枠１９を所要の位置に固定するようにしているのに対し、第２実施例においては、前記上枠２０に対応する回転枠２２の先端に第２のスクリーン１２を取り付け、該スクリーン１２を上動させるためにコイル状のスプリング２２ａの付勢力を作用させているので、その力によって第２のスクリーン１２が必要以上に上動しないように、操作枠１９を保持する上記係脱部材２９を設ける必要がある。
【００３３】
この第２実施例における係脱部材２９は、具体的構成を図示していないが、第１実施例の場合と同様な位置に、望ましくは、図１２における操作枠１９のエンドキャップ２６からガイド部２４ｂ内に突出する凸片２６ａと該ガイド部２４ｂ内壁との間に設けられ、第１実施例の図７における多数の係止突条２８ａとそのいずれかに係止する係止突子２８ｂとを上下逆向きに、つまり、係脱部材により操作枠１９が保持されている位置から上動しないように保持するものとすればよい。
【００３４】
上記構成を備えた第２実施例のスクリーン装置においては、第２のスクリーン１２が降下してスラット１３が遮蔽位置にある状態で、係脱部材２９による操作枠１９の係止を外し、該操作枠１９の上動を許容すると、回転枠２２に作用するスプリング２２ａの付勢力により第２のスクリーン１２を介して該操作枠１９が上動し、その結果、第２のスクリーン１２が上動することによりスラット１３を開放させる。その際、図８に示す上動限まで回転枠２２を回転させると、該スラット１３が全開位置まで開放し、また、所望の位置で操作枠１９の上動を停止させて、その位置において係脱部材２９により操作枠１９をスクリーン枠１５に固定すれば、スラット１３がその位置での開状態に保持される。
【００３５】
このような構成を有する第２実施例のスクリーン装置においては、上述したところから明らかなように、係脱部材２９による操作枠１９の係止を外して該操作枠１９を上動させると、回転枠２２がスプリング２２ａの付勢力により回転するが、その回転に伴って第２のスクリーン１２の上端を取り付けている回転枠２２の先端が、図８及び図１０に示すように室内側に突出し、しかしながら、第２のスクリーン１２の下端はスクリーン枠１５に沿って単に上動するだけであるため、第２のスクリーン１２はその上部が室内側に突出して傾斜した状態になる。
【００３６】
但し、上記図８や図１０では、図示した紙面の大きさの関係から、スクリーンユニット１０の縦方向長さを短くして模式的に描記しているので、縦方向に長くした現実的な製品においては、上記傾斜が極めて軽微なものとなり、特に、上記回転枠２２が図１０の回転位置にある状態で、第２のスクリーン１２にスプリング２２ａによる引張力が作用しない程度に操作枠１９を上位に位置させると、第２のスクリーン１２が弛緩して垂れ下がるような状態になり、或いは、補助的な手段で第２のスクリーン１２が真下に垂れ下がるようにしておけば、第１のスクリーン１１と第２のスクリーン１２とは全体的にほぼ平行状態に保たれて、スラット１３の全体を全開状態にすることができる。従って、上記第２実施例のスクリーン装置におけるスラット１３の全開時に、第２のスクリーン１２が必ずしも図８及び図１０の状態になるとは限らない。
【００３７】
しかしながら、第２のスクリーン１２の上部が回転枠２２により室内側に突出して該第２のスクリーン１２が傾斜した状態になることを逆に利用し、上述のように回転枠２２が図１０の回転位置にあって、スクリーン装置の上部では第２のスクリーン１２の上部が第１のスクリーン１１から離間するために、スラット１３が全開位置にあって良好な通風、採光が得られ、それに対して、スクリーン装置の下部ではスラット１３の垂れ下がりが大きくなって目隠し状態が得られるなどの点で有利な利用を図ることができる。
【００３８】
なお、上記第２実施例においては、回転枠２２のスプリング２２ａによる回転で第２のスクリーン１２の上端が室内側に突出し、第２のスクリーン１２の下端は単に上動するだけであるために、第２のスクリーン１２が傾斜した状態になるように構成しているが、該第２のスクリーン１２の傾斜が生じるのは、図８及び図９に示すところの、操作枠１９の昇降をガイドするガイド部２４ｂが、該操作枠１９のエンドキャップ２６の凸片２６ａをスクリーン枠１５に沿って上下にガイドするように形成しているためであり、該ガイド部２４ｂを、上記エンドキャップ２６の凸片２６ａをスクリーン枠１５に沿う位置から上記回転枠２２の先端の突出位置まで室内側に斜め上方に向けてガイドするように形成しておけば、第２のスクリーン１２の上昇時にその上下部が共に第１のスクリーン１１から離れる方向に移動し、両スクリーンが平行に保たれることになる。
【００３９】
また、前記第１実施例についても、スラット１３の開放時に第２のスクリーン１２を室内側に移動させるのが望ましく、この場合には、連動枠１８の上下部に設ける上枠２０及び操作枠１９を上記第２実施例の場合と同様に室内側に移動させればよく、具体的には、スクリーン枠１５の上下部左右に設けるガイド部２４ａ，２４ｂを、上記上枠２０及び操作枠１９のエンドキャップ２５，２６の凸片２５ａ，２６ａを、スクリーン枠１５に沿う位置からスラット１３の伸長に必要な位置まで、室内側に斜め上方に向けてガイドするように形成しておけばよい。
【００４０】
更に、前記第１実施例においては、連動枠１８における連動用部材２１として、下部の操作枠１９と上部の上枠２０との間を機械的に連結する連結枠材２１ａを用い、また、第２実施例においては、第２のスクリーン１２自体を連動用部材２１とし、それによって操作枠１９と回転枠２２とを連結することにより連動枠１８が構成されている。しかしながら、上記操作枠１９と上枠２０との昇降を一定の間隔で保持して連動するように連結する連動用部材２１としては、上記実施例のものに限定されるべきではなく、例えば、スクリーン枠１５の上下間のプーリー等に巻き掛けられて昇降する紐等の可撓線条に、上枠２０と操作枠１９が直接的或いは間接的に連結され、それらが操作枠１９の昇降により共に上動及び下降できるように連結された構成などを採用することもできる。
【符号の説明】
【００４１】
１０      スクリーンユニット
１１      第１のスクリーン
１２      第２のスクリーン
１３      スラット
１５      スクリーン枠
１８      連動枠
１９      操作枠
２０      上枠
２１      連動用部材
２１ａ    連結枠材
２４ａ，２４ｂ    ガイド部
２８      係脱部材
【図１】
2018066147.tif 000003
【図２】
2018066147.tif 000004
【図３】
2018066147.tif 000005
【図４】
2018066147.tif 000006
【図５】
2018066147.tif 000007
【図６】
2018066147.tif 000008
【図７】
2018066147.tif 000009
【図８】
2018066147.tif 000010
【図９】
2018066147.tif 000011
【図１０】
2018066147.tif 000012
【図１１】
2018066147.tif 000013
【図１２】
2018066147.tif 000014